(57)【要約】【課題】     容易に装着できて、所望の外観を得られる帯を提供する。【解決手段】 外側前帯１６と内側前帯１８との二重となった前帯部１２と、この前帯部１２の両端部１３近傍で外側前帯１６と内側前帯１８とを縫付ける縫合部１９と、前帯部１２の両端部１３から夫々延設される紐状部材２１とから構成され、前帯部１２が着付けにより装着されて両紐状部材２１間が結ばれた帯結び状態で、湾曲形状に張設された外側前帯１６の内周縁に沿って、内側前帯１６の撓みが緩和もしくは無くなるように、両縫合部１９間に於ける外側前帯１６の長さ寸法を内側前帯１８の長さ寸法よりも短く設定する。【選択図】図１
2014025185.tif 000002
【特許請求の範囲】
【請求項１】
外側前帯（１６）と内側前帯（１８）との二重となった前帯部（１２）と、該前帯部（１２）の両端部（１３）近傍で前記外側前帯（１６）と内側前帯（１８）とを縫付ける縫合部（１９）と、前記前帯部（１２）の両端部（１３）から夫々延設される紐状部材（２１）とから成ることを特徴とする帯。
【請求項２】
両縫合部（１９）間に於ける外側前帯（１６）の長さ寸法を内側前帯（１８）の長さ寸法よりも短く設定したことを特徴とする請求項１記載の帯。
【請求項３】
外側前帯（１６）と内側前帯（１８）との寸法差は、前帯部（１２）が着付けにより装着されて両紐状部材（２１）間が結ばれた帯結び状態で、湾曲形状に張設された前記外側前帯（１６）の内周縁に沿って、前記内側前帯（１６）の撓みが緩和もしくは無くなる比率で設定することを特徴とする請求項２記載の帯。
【請求項４】
両紐状部材（２１）を、外側前帯（１６）の両端部（１３）近傍で、両縫合部（１９）よりも外側の位置に夫々固着させた請求項１、２、３に記載の帯。
【請求項５】
外側前帯（１６）を表面側布地（３６）と裏面側布地（２６）とで構成し、両縫合部（１９）は、前記外側前帯（１６）の裏面側布地（２６）と、内側前帯（１８）の端部とを縫合したことを特徴とする請求項１、２、３、４に記載の帯。
【請求項６】
前帯部（１２）の両端部（１３）に於ける上縁と下縁をテーパー状にして、該両端部（１３）を先細に形成することを特徴とする請求項１、２、３、４、５に記載の帯。
【請求項７】
外側前帯（１６）と内側前帯（１８）との二重となった前帯部（１２）と、該前帯部（１２）の一方端部（１３ａ）近傍で前記外側前帯（１６）と内側前帯（１８）とを縫付ける縫合部（１９）と、前記外側前帯（１６）の両端部（１３）から夫々延設される紐状部材（２１）と、前記内側前帯（１８）の他方端部（１３ｂ）から延設される紐状部材（２１ａ）とから成ることを特徴とする帯。
【請求項８】
前帯部（１２）の左右両端部（１３）または両紐状部材（２１）に、仮帯結び状態で相互に貼合わせられるファスナ部材（３０，４０）を夫々設けたことを特徴とする請求項１、２，３、４、５、６，７に記載の帯。
【請求項９】
前帯部（１２）の一方端部（１３ａ）に於ける上縁と下縁をテーパー状にして、該一方端部（１３ａ）を先細に形成することを特徴とする請求項７、８に記載の帯。
【発明の詳細な説明】
【技術分野】
【０００１】
この発明は、着物、特に和装の上から締めて、容易に帯結び状態とすることができる帯に関するものである。
【背景技術】
【０００２】
従来から、帯のなかでも容易に和装の着付けを行えるように、簡単に装着できる簡易帯が知られている（例えば、特許文献１）。
【先行技術文献】
【特許文献】
【０００３】
【特許文献１】特開２００７−９２２６５号公報
【発明の概要】
【発明が解決しようとする課題】
【０００４】
上記発明は、伸縮自在のベルト部材を帯の内側に収容して、締め具合を調整することにより、多様なサイズに対応させる構成である。
【０００５】
処で、和装帯にあっては、その装着状態で上縁が二重になっていることが、その外観体裁の上で重要である。しかしながら、前記従来の発明では、前帯を二重となるように折り返す、折り返し山部分で、前帯の結ばれる長さを体型に合わせて調整する等、前帯の模様の左，右位置や、同時に装着される後帯の位置を合わせながら、前帯を適正な位置に装着することは依然、容易ではなかった。
【０００６】
折り返し山を省略し、一枚の前帯を装着するだけで二重に巻いているように見せるものも知られている。予め外側前帯の内側に、二重目となる内側前帯片を長手方向に沿って縫い付ける構成である。
【０００７】
一般に着付けられて帯結び状態となると、外周に位置する外側前帯の長手方向長さが、内側前帯の長手方向長さよりも長く必要である。従って、帯を二重に巻いているような外観を形成するため、前帯の上縁に内側前帯片を縫合してしまうと、湾曲状態に張設されている外側前帯は伸長しないため、内側前帯が撓んで蛇行してしまう。このため、被装着者の装着感が良好であるとは言い難く、二重であることが視認される前帯の上縁部では、このような内側前帯の撓みが生じていると見栄えがよくないといった問題があった。
【０００８】
よって本発明は、上述した従来技術の欠点、不都合、不満を解消するべく開発された帯であって、容易に装着できて、所望の外観品質を得られる帯を提供することを課題としている。
【課題を解決するための手段】
【０００９】
上記課題を解決するため、本発明の帯は、外側前帯と内側前帯との二重となった前帯部と、この前帯部の両端部近傍で前記した外側前帯と内側前帯とを縫付ける縫合部と、前記した前帯部の両端部から夫々延設される紐状部材とから成ることを特徴とする。
【００１０】
また、両縫合部間に於ける外側前帯の長さ寸法は、内側前帯の長さ寸法よりも短く設定する。
【００１１】
この外側前帯と内側前帯との寸法差は、前帯部が着付けにより装着されて両紐状部材間が結ばれた帯結び状態で、湾曲形状に張設された前記外側前帯の内周縁に沿って、前記した内側前帯の撓みが緩和もしくは無くなる比率で設定する。
【００１２】
両紐状部材を、外側前帯の両端部近傍で、両縫合部よりも外側の位置に夫々固着させる。
【００１３】
外側前帯を表面側布地と裏面側布地とで構成し、両縫合部は、前記した外側前帯の裏面側布地と、内側前帯の端部とを縫合する。
【００１４】
前帯部の両端部に於ける上縁と下縁をテーパー状にして、前記した両端部を先細に形成する。
【００１５】
外側前帯と内側前帯との二重となった前帯部と、この前帯部の一方端部近傍で前記した外側前帯と内側前帯とを縫付ける縫合部と、前記した外側前帯の両端部から夫々延設される紐状部材と、前記した内側前帯の他方端部から延設される紐状部材とから成ることを特徴とする。
【００１６】
前帯部の左右両端部または両紐状部材に、仮帯結び状態で相互に貼合わせられるファスナ部材を夫々設ける。
【００１７】
前帯部の一方端部に於ける上縁と下縁をテーパー状にして、この一方端部を先細に形成することを特徴とする。
【発明の効果】
【００１８】
上記した本発明の請求項１によれば、前帯部の両端部近傍で外側前帯と内側前帯とが縫合部によって夫々縫付けられているので、前帯部を胴廻りで装着する際、両紐状部材を被装着者の背中で交差させて巻回して被装着者の胸元で結ぶと、外側前帯と内側前帯とが、両縫合部を介して伝わる両紐状部からの張力で、内外同等に周方向に引かれ、内周側に位置する内側前帯が撓んだり、蛇行したりする虞れを減少させることができ、凹凸の無い円滑な曲線を描いて張設される。また、装着状態では、外側前帯と内側前帯とが両紐状部材によって左右均等に引かれ、帯の長手方向への前帯部の位置ずれが発生せず、被装着者は、前帯部を容易に装着できて、二重に巻きつけられた帯と同じ装着感及び外観品質を得られる。
【００１９】
この場合、前帯部は外側前帯と内側前帯との二重構造であるので、リング状に巻回すると、外側前帯と内側前帯の周長が同一であるため、内側前帯は少なくともその厚み分だけ撓んでしまう。即ち、前帯部を被装着者の胴廻りに巻回装着しようとすると、外側前帯を撓みなく締めた場合、内側前帯が撓んで皺が寄り、極めて外観体裁が悪くなるばかりでなく、良好な装着感が得られない虞がある、よって、請求項２の如く両縫合部間に於ける外側前帯の長さ寸法を内側前帯の長さ寸法よりも短く設定し、この撓みを吸収するのである。
【００２０】
それ故請求項３の如く、外側前帯と内側前帯との寸法差を、帯結び状態で内側前帯の撓みが緩和もしくは無くなる比率に設定することにより、良好な装着感と外観体裁を得ることができる。
【００２１】
請求項４の如く、両紐状部材を、外側前帯の両端部近傍で両縫合部よりも外側の位置に夫々固着させると、被装着者の着付け状態に合わせて、前帯部が両紐状部材によって左右方向に引かれても、先ず、外側前帯が左，右方向に引かれ、外側前帯の内周縁の湾曲に追従して、内側前帯が湾曲形状に張設されて適合することになる。
【００２２】
そして当然ながら、被装着者の体型の相違によって胴廻りのサイズは様々であるが、請求項５の如く外側前帯を表面側布地と裏面側布地とで構成して、両縫合部を、外側前帯の裏面側布地と内側前帯の端部とを縫合することにより形成すると、例えば胴廻りが比較的細い人物が装着しても、両縫合部での外側前帯は裏面側布地だけであるので、外側前帯の表面側布地から、適度な張力で離反して、内側前帯の両縫合部間の長さに外側前帯の両縫合部間の長さが追従して可変し、調整される。即ち、外側前帯の表面側布地は内側に引き込まれないため表面に凹凸が生じることなく、外観品質が保持される。
【００２３】
更に、請求項６の如く、前帯部の両端部に於ける上縁と下縁をテーパー状にして、前帯部の両端部を先細に形成すると、両縫合部位置では、外側前帯の表面側布地を軸回転により反転させ、裏面側布地を外面に露出するように変更することができる。即ち、表面側布地と裏面側布地とに夫々異なる模様を形成しておけば、被装着者は、二種類の模様を着付ける前或いは着付け中に好みに応じて選択できることになる。
【００２４】
次いで請求項７の如く、本発明の帯を、外側前帯と内側前帯との二重となった前帯部と、この前帯部の一方端部近傍で前記した外側前帯と内側前帯とを縫付ける縫合部と、前記した外側前帯の両端部から夫々延設される紐状部材と、前記した内側前帯の他方端部から延設される紐状部材とから構成すると、外側前帯と内側前帯とは一方端部近傍でのみ縫合されているので、胴廻りに装着するに際し、先ず、内側前帯のみを外側前帯の一方端部の紐状部材と、内側前帯の他方端部の紐状部材とで結ぶことにより、内側前帯を胴廻りに隙間なくぴったりと装着することができる。そしてその後、内側前帯を覆うようにして外側前帯を両端部の紐状部材を結んで装着するので、内側前帯も外側前帯も撓むことなく、二重に巻きつけられた帯としての装着感と美麗な外観体裁を得られるのである。
【００２５】
しかもこの請求項７の構成では、本来の内側前帯を外側に位置するように巻回装着することも可能となり、内側前帯に模様を施せば、別のお洒落を楽しむこともできる。
【００２６】
また、請求項８の如く前帯部の左右両端部または両紐状部材に、仮帯結び状態で相互に貼合わせられるファスナ部材を夫々設けると、相互にファスナ部材を貼り合わせることにより、リング状となった前帯部の両端部間、または両紐状部材間が仮止めされて、被装着者の手を一旦、前帯部から離すことができ、両紐状部材を胸元に引き出すことが容易になる。特に、請求項７の構成で、内側前帯のみを装着する際このファスナ部材で仮止めすれば、次の外側前帯の装着がより容易となろう。
【００２７】
そして、前帯部の両端部に於ける上縁と下縁をテーパー状にして、前帯部の両端部を先細に形成すると、両縫合部位置では、外側前帯の表面側布地を軸回転により反転させ、裏面側布地を外面に露出するように変更することができる。即ち、表面側布地と裏面側布地とに夫々異なる模様を形成しておけば、被装着者は、二種類の模様を着付ける前或いは着付け中に好みに応じて選択できることになる。特に、請求項７の構成で、前帯部の一方端部に於ける上縁と下縁をテーパー状にして、この一方端部を先細に形成すると、縫合部位置では、外側前帯と内側前帯の何れもが軸回転により反転させることができるようになるため、外側前帯と内側前帯の何れについても表裏面の両面を露出させることができ、前帯部として合計四種類の異なる模様を楽しむことができることになる。
【００２８】
よって本発明によれば、和装の帯締を外観体裁好く、容易に達成できる等、多くの優れた作用効果を奏する。
【図面の簡単な説明】
【００２９】
【図１】本発明の実施の形態に係る帯と後帯部との組み合わせの一例を示す分解斜視図である。
【図２】帯と後帯部とを組み合わせた斜視図である。
【図３】巻回した本発明に係る帯の平面図である。
【図４】本発明に係る帯の平面説明図である。
【図５】本発明に係る帯の要部を示す背面説明図である。
【図６】縫合部を中心として要部の断面図である。
【図７】図６に相当する部分の装着状態で湾曲している様子を説明する断面図である。
【図８】他の実施例を示す帯と後帯部とを組み合わせた斜視図である。
【図９】図８の実施例で、巻回した本発明に係る帯の平面図である。
【発明を実施するための形態】
【００３０】
本発明の帯１１は、高さ幅が略同一寸法の外側前帯１６と内側前帯１８との二重となった前帯部１２と、この前帯部１２の両端部近傍で外側前帯１６と内側前帯１８とを縫合糸２０で夫々縫付ける縫合部１９と、前帯部１２の両端部にあっての縫合部１９よりも外側から夫々延設される紐状部材２１とから構成される。
【００３１】
そして、この帯１１は、所謂太鼓と称される後帯部１４と共に被装着者の胴廻りに装着され、和装帯として着付けられる。即ち、外面に所定の柄模様等が付され、巻回折り畳みされた後帯部１４には、両端を帯紐挿通開口部１５とする空間が形成されており、着付けに際しては、前帯部１２を胴廻りに当てがった状態で背中側に回した夫々の紐状部材２１を後帯部１４内に帯紐挿通開口部１５から挿入して交差させて前に導出し、夫々の紐状部材２１を胸元で結び締めるのである。
【００３２】
外側前帯１６は、裏面側布地２６と表面側布地３６とから構成され、内側前帯１８は、表，裏面側布地２８、３８が重ね合わせられて構成され、両縫合部１９の内側前帯１８の端部１８ａ位置では、外側前帯１６の裏面側布地２６と内側前帯１８の端部とで縫合し、外側前帯１６の表面側布地３６とは縫合しない。
【００３３】
両縫合部１９間に於ける外側前帯１６の長さ寸法は、内側前帯１８の長さ寸法よりも短く、この寸法差は、前帯部１２が着付けにより装着されて両紐状部材２１間が結ばれた帯結び状態で、湾曲形状に張設された外側前帯１６の内周縁に沿って、内側前帯１８の撓みが緩和もしくは無くなる比率である。
【００３４】
前帯部１２の左右両端部または両紐状部材に、仮帯結び状態で相互に貼合わせられるファスナ部材３０、４０を夫々設ける。これは、上述したように、着付けに際し、夫々の紐状部材２１を後帯部１４内にて交差させて前に導出させる時に、仮結びとしての機能を果たす。
【００３５】
また、前帯部１２の両端部１３に於ける上縁と下縁をテーパー状にして、前帯部１２の両端部１３を先細に形成する。
【００３６】
図８で示した本発明の帯１１は、外側前帯１６と内側前帯１８との二重となった前帯部１２と、この前帯部１２の一方端部１３ａ近傍で外側前帯１６と内側前帯１８とを縫付ける縫合部１９と、外側前帯１６の両端部１３から夫々延設される紐状部材２１と、内側前帯１８の他方端部１３ｂから延設される紐状部材２１ａとから
構成される。
【実施例】
【００３７】
図１乃至図７の実施例にあって、前帯部１２の両縫合部１９間に於ける外側前帯１６と内側前帯１８との寸法差は、前述したように前帯部１２が着付けにより装着されて紐状部材２１間が結ばれた帯結び状態で、湾曲形状に張設された外側前帯１６の内周縁に沿って内側前帯１８の撓みが緩和もしくは無くなる比率であり、布地の厚みなどの条件により異なるが、約１ｍｍ〜２０ｍｍで、約５ｍｍ〜１０ｍｍが好ましく、着付け状態に合わせて設定されている。ここでの着付け状態とは、内側前帯１８と外側前帯１６との間に形成された隙間１７に、図示省略の帯板や、紐状部材２１の結び目２２などを介在させた状態を含む。
【００３８】
また、上記寸法差は、被装着者の胴廻り寸法、布地の厚さ等により、縫製を行う前に、予め設定された比率の計算などにより得られ、仕立て直しなどの再作業工程の発生も抑制できる。
【００３９】
前帯部１２の両端部１３に於ける上縁と下縁はテーパー状で、前帯部１２の両端部１３を先細に形成しているので、両縫合部位置で、外側前帯１６の表面側布地３６を軸回転により反転させ、裏面側布地を外面に露出するように変更することができる。この軸回転による捻じれ部分では、若干の膨らみが生じることになるが、着付け状態では、当該部分は後帯部１４内の空間に隠れることになるので外観体裁が悪くなることはなく、膨らみによるごろつき感も生じない。尚、両端部１３の形状は、上縁と下縁のテーパー状とするだけでなく、細帯状、三角形形状、台形形状等であっても良い。
【符号の説明】
【００４０】
１１  帯
１２  前帯部
１３  端部
１４  後帯部
１５  帯紐挿通開口部
１６  外側前帯
１７  隙間
１８  内側前帯
１９  縫合部
２０  縫合糸
２１  紐状部材
２２  結び目
２６  外側前帯の裏面側布地
２８  内側前帯の表面側布地
３６  外側前帯の表面側布地
３８  内側前帯の裏面側布地
３０，４０  ファスナ部材
【図１】
2014025185.tif 000003
【図２】
2014025185.tif 000004
【図３】
2014025185.tif 000005
【図４】
2014025185.tif 000006
【図５】
2014025185.tif 000007
【図６】
2014025185.tif 000008
【図７】
2014025185.tif 000009
【図８】
2014025185.tif 000010
【図９】
2014025185.tif 000011
【手続補正書】
【提出日】平成24年9月10日(2012.9.10)
【手続補正１】
【補正対象書類名】特許請求の範囲
【補正対象項目名】全文
【補正方法】変更
【補正の内容】
【特許請求の範囲】
【請求項１】
外側前帯（１６）と内側前帯（１８）との二重となった前帯部（１２）と、該前帯部（１２）の両端部（１３）近傍で前記外側前帯（１６）と内側前帯（１８）とを縫付ける縫合部（１９）と、前記前帯部（１２）の両端部（１３）から夫々延設される紐状部材（２１）とから成り、前記両縫合部（１９）間に於ける外側前帯（１６）の長さ寸法を内側前帯（１８）の長さ寸法よりも長く設定したことを特徴とする帯。
【手続補正２】
【補正対象書類名】明細書
【補正対象項目名】０００２
【補正方法】変更
【補正の内容】
【０００２】
従来から、容易に和装の着付けを行えるように、簡単に装着できる簡易帯が知られている（例えば、特許文献１）。
【手続補正３】
【補正対象書類名】明細書
【補正対象項目名】０００９
【補正方法】変更
【補正の内容】
【０００９】
上記課題を解決するため、本発明の帯は、外側前帯と内側前帯との二重となった前帯部と、この前帯部の両端部近傍で前記した外側前帯と内側前帯とを縫付ける縫合部と、前記した前帯部の両端部から夫々延設される紐状部材とから成り、前記した両縫合部間に於ける外側前帯の長さ寸法は、内側前帯の長さ寸法よりも長く設定することを特徴とする。
【手続補正４】
【補正対象書類名】明細書
【補正対象項目名】００１０
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１９
【補正方法】変更
【補正の内容】
【００１９】
この場合、前帯部は外側前帯と内側前帯との二重構造であるので、リング状に巻回すると、外側前帯と内側前帯の周長が同一であるため、内側前帯は少なくともその厚み分だけ撓んでしまう。即ち、前帯部を被装着者の胴廻りに巻回装着しようとすると、外側前帯を撓みなく締めた場合、内側前帯が撓んで皺が寄り、極めて外観体裁が悪くなるばかりでなく、良好な装着感が得られない虞がある、よって、更に両縫合部間に於ける外側前帯の長さ寸法を内側前帯の長さ寸法よりも長く設定し、この撓みを吸収するのである。
【手続補正１２】
【補正対象書類名】明細書
【補正対象項目名】００２０
【補正方法】変更
【補正の内容】
【００２０】
それ故、外側前帯と内側前帯との寸法差を、帯結び状態で内側前帯の撓みが緩和もしくは無くなる比率に設定することにより、良好な装着感と外観体裁を得ることができる。
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２９
【補正方法】変更
【補正の内容】
【００２９】
【図１】本発明の実施の形態に係る帯と後帯部との組み合わせの一例を示す分解斜視図である。
【図２】帯と後帯部とを組み合わせた斜視図である。
【図３】巻回した本発明に係る帯の平面図である。
【図４】本発明に係る帯の平面説明図である。
【図５】本発明に係る帯の要部を示す背面説明図である。
【図６】縫合部を中心として要部の断面図である。
【図７】図６に相当する部分の装着状態で湾曲している様子を説明する断面図である。
【手続補正２１】
【補正対象書類名】明細書
【補正対象項目名】００３１
【補正方法】変更
【補正の内容】
【００３１】
そして、この帯１１は、所謂太鼓と称される後帯部１４と共に被装着者の胴廻りに装着され、和装帯として着付けられる。即ち、外面に所定の柄模様等が付され、巻回折り畳みされた後帯部１４には、両端を帯紐挿通開口部１５とする空間が形成されており、着付けに際しては、前帯部１２を胴廻りに当てがった状態で背中側に回した夫々の紐状部材２１を後帯部１４内に帯紐挿通開口部１５から挿入して交差させて前に導出し、夫々の紐状部材２１を胸元で結び締めるのである。
両紐状部材２１を、外側前帯１６の両端部近傍で両縫合部１９よりも外側の位置に夫々固着させると、被装着者の着付け状態に合わせて、前帯部１２が両紐状部材２１によって左右方向に引かれても、先ず、外側前帯１６が左右方向に引かれ、外側前帯１６の内周縁の湾曲に追従して、内側前帯１８が湾曲形状に張設されて適合することになる。
【手続補正２２】
【補正対象書類名】明細書
【補正対象項目名】００３２
【補正方法】変更
【補正の内容】
【００３２】
外側前帯１６は、裏面側布地２６と表面側布地３６とから構成され、内側前帯１８は、表，裏面側布地２８、３８が重ね合わせられて構成され、両縫合部１９の内側前帯１８の端部１８ａ位置では、外側前帯１６の裏面側布地２６と内側前帯１８の端部とで縫合し、外側前帯１６の表面側布地３６とは縫合しない。
そして当然ながら、被装着者の体型の相違によって胴廻りのサイズは様々であるが、外側前帯１６を表面側布地３６と裏面側布地２６とで構成して、両縫合部１９を、外側前帯１６の裏面側布地２６と内側前帯１８の端部とを縫合することにより形成すると、例えば胴廻りが比較的細い人物が装着しても、両縫合部１９での外側前帯１６は裏面側布地３６だけであるので、外側前帯１６の表面側布地３６から、適度な張力で離反して、内側前帯１８の両縫合部１９間の長さに外側前帯１６の両縫合部１９間の長さが追従して可変し、調整される。即ち、外側前帯１６の表面側布地３６は内側に引き込まれないため表面に凹凸が生じることなく、外観品質が保持される。
【手続補正２３】
【補正対象書類名】明細書
【補正対象項目名】００３３
【補正方法】変更
【補正の内容】
【００３３】
両縫合部１９間に於ける外側前帯１６の長さ寸法は、内側前帯１８の長さ寸法よりも長く、この寸法差は、前帯部１２が着付けにより装着されて両紐状部材２１間が結ばれた帯結び状態で、湾曲形状に張設された外側前帯１６の内周縁に沿って、内側前帯１８の撓みが緩和もしくは無くなる比率である。
【手続補正２４】
【補正対象書類名】明細書
【補正対象項目名】００３５
【補正方法】変更
【補正の内容】
【００３５】
また、前帯部１２の両端部１３に於ける上縁と下縁をテーパー状にして、前帯部１２の両端部１３を先細に形成する。
この構成とすると、両縫合部１９位置では、外側前帯１６の表面側布地３６を軸回転により容易に反転させることができるので、裏面側布地２６を外面に露出するように変更することができる。即ち、表面側布地３６と裏面側布地２６とに夫々異なる模様を形成しておけば、被装着者は、二種類の模様を着付ける前或いは着付け中に好みに応じて選択できることになる。
【手続補正２５】
【補正対象書類名】明細書
【補正対象項目名】００３６
【補正方法】削除
【補正の内容】
【手続補正２６】
【補正対象書類名】図面
【補正対象項目名】図８
【補正方法】削除
【補正の内容】
【手続補正２７】
【補正対象書類名】図面
【補正対象項目名】図９
【補正方法】削除
【補正の内容】
【手続補正書】
【提出日】平成24年12月7日(2012.12.7)
【手続補正１】
【補正対象書類名】特許請求の範囲
【補正対象項目名】全文
【補正方法】変更
【補正の内容】
【特許請求の範囲】
【請求項１】
外側前帯（１６）と内側前帯（１８）との二重となった前帯部（１２）と、該前帯部（１２）の両端部（１３）近傍で前記外側前帯（１６）と内側前帯（１８）とを縫付ける縫合部（１９）と、前記前帯部（１２）の両端部（１３）から夫々延設される紐状部材（２１）とから成り、前記両縫合部（１９）間に於ける外側前帯（１６）の長さ寸法を内側前帯（１８）の長さ寸法よりも長く設定し、且つ前記両紐状部材（２１）を、外側前帯（１６）の両端部近傍で両縫合部（１９）よりも先端側の位置に夫々固着させたことを特徴とする帯。
【手続補正２】
【補正対象書類名】明細書
【補正対象項目名】００３１
【補正方法】変更
【補正の内容】
【００３１】
そして、この帯１１は、所謂太鼓と称される後帯部１４と共に被装着者の胴廻りに装着され、和装帯として着付けられる。即ち、外面に所定の柄模様等が付され、巻回折り畳みされた後帯部１４には、両端を帯紐挿通開口部１５とする空間が形成されており、着付けに際しては、前帯部１２を胴廻りに当てがった状態で背中側に回した夫々の紐状部材２１を後帯部１４内に帯紐挿通開口部１５から挿入して交差させて前に導出し、夫々の紐状部材２１を胸元で結び締めるのである。
両紐状部材２１を、外側前帯１６の両端部近傍で両縫合部１９よりも先端側の位置に夫々固着させると、被装着者の着付け状態に合わせて、前帯部１２が両紐状部材２１によって左右方向に引かれても、先ず、外側前帯１６が左右方向に引かれ、外側前帯１６の内周縁の湾曲に追従して、内側前帯１８が湾曲形状に張設されて適合することになる。